(57)【要約】【課題】複数のＬＥＤがダイナミック点灯制御によって制御され、一部のＬＥＤを他よりも明るく点灯させることが必要である場合に、回路を簡素化でき、点灯制御信号のポート数を少なくできること。【解決手段】駆動信号出力回路２３が、複数の駆動パルス信号Ｄｒ１〜８を複数の給電基幹ライン２１に出力する。制御スイッチ２４は、入力されるダイナミック点灯制御信号Ｃｔ１，Ｃｔ２に従って、ＬＥＤ３が接続された複数の給電分岐ライン２２を一括して導通状態と非導通状態とに切り替える。第１給電分岐ライン２２ａは、１つの給電基幹ライン２１にのみ接続され、第２給電分岐ライン２２ｂは、複数の給電基幹ライン２１に接続されている。【選択図】図２
2017074735.tif 000002
【特許請求の範囲】
【請求項１】
複数の給電基幹ラインと、
それぞれ周期が同じでパルスが重ならない複数の駆動パルス信号を複数の前記給電基幹ラインに出力する駆動信号出力回路と、
前記給電基幹ラインから分岐し、複数のＬＥＤに電気的に接続された複数の給電分岐ラインと、
前記給電分岐ラインに電気的に接続され、入力されるダイナミック点灯制御信号に従って、複数の前記給電分岐ラインを一括して導通状態と非導通状態とに切り替える制御スイッチと、を備え、
前記給電分岐ラインが、
１つの前記給電基幹ラインにのみ電気的に接続された第１給電分岐ラインと、
複数の前記給電基幹ラインに電気的に接続された第２給電分岐ラインと、を含む、ＬＥＤ駆動回路。
【請求項２】
前記駆動信号出力回路が、基準の第１クロック信号および前記第１クロック信号が分周された第２クロック信号から複数の前記駆動パルス信号を生成する加算回路を含む、請求項１に記載のＬＥＤ駆動回路。
【請求項３】
請求項１または請求項２に記載のＬＥＤ駆動回路と、
前記ＬＥＤ駆動回路から給電される複数のＬＥＤと、を備える画像形成装置。
【請求項４】
前記第２給電分岐ラインに電気的に接続された前記ＬＥＤが、エラーを通知するエラーＬＥＤおよび感光体に除電光を照射する除電ＬＥＤの一方または両方を含む、請求項３に記載の画像形成装置。
【発明の詳細な説明】
【技術分野】
【０００１】
本発明は、ＬＥＤ駆動回路およびそれを備える画像形成装置に関する。
【背景技術】
【０００２】
一般に、プリンター、複写機、ファクシミリ装置および複合機などの画像形成装置は、各種の用途のＬＥＤ（Light Emitting Diode）を備える。また、前記ＬＥＤに電力を供給するＬＥＤ駆動回路が、複数の前記ＬＥＤをダイナミック点灯させることが知られている（例えば、特許文献１参照）。
【先行技術文献】
【特許文献】
【０００３】
【特許文献１】特開２００２−３２８６５２号公報
【発明の概要】
【発明が解決しようとする課題】
【０００４】
ところで、前記画像形成装置において、一部のＬＥＤを他のＬＥＤよりも明るく点灯させたい場合がある。この場合、デューティー比の大きな駆動パルス信号を出力する回路が、一部のＬＥＤの専用回路として設けられることが考えられる。そうすると、前記ＬＥＤ駆動回路の規模が大きくなり、ダイナミック点灯制御信号を出力するプロセッサーのポート数が増える。
【０００５】
本発明の目的は、複数のＬＥＤがダイナミック点灯制御によって制御され、一部のＬＥＤを他よりも明るく点灯させることが必要である場合に、回路を簡素化でき、点灯制御信号のポート数を少なくできるＬＥＤ駆動回路およびそれを備える画像形成装置を提供することにある。
【課題を解決するための手段】
【０００６】
本発明の一の局面に係るＬＥＤ駆動回路は、複数の給電基幹ラインと、駆動信号出力回路と、複数の給電分岐ラインと、制御スイッチとを備える。前記駆動信号出力回路は、複数の駆動パルス信号を複数の前記給電基幹ラインに出力する回路である。前記駆動パルス信号は、それぞれ周期が同じでパルスが重ならないパルス信号である。複数の前記給電分岐ラインは、前記給電基幹ラインから分岐し、複数のＬＥＤに電気的に接続されている。前記制御スイッチは、前記給電分岐ラインに電気的に接続されている。前記制御スイッチは、入力されるダイナミック点灯制御信号に従って、複数の前記給電分岐ラインを一括して導通状態と非導通状態とに切り替える。前記給電分岐ラインが、第１給電分岐ラインと、第２給電分岐ラインとを含む。前記第１給電分岐ラインは、１つの前記給電基幹ラインにのみ電気的に接続されている。前記第２給電分岐ラインは、複数の前記給電基幹ラインに電気的に接続されている。
【０００７】
本発明の他の局面に係る画像形成装置は、本発明の一の局面に係る前記ＬＥＤ駆動回路と、前記ＬＥＤ駆動回路から給電される複数のＬＥＤとを備える。
【発明の効果】
【０００８】
本発明によれば、複数のＬＥＤがダイナミック点灯制御によって制御され、一部のＬＥＤを他よりも明るく点灯させることが必要である場合に、回路を簡素化でき、点灯制御信号のポート数を少なくできるＬＥＤ駆動回路およびそれを備える画像形成装置を提供することが可能になる。
【図面の簡単な説明】
【０００９】
【図１】図１は、実施形態に係る画像形成装置のブロック図である。
【図２】図２は、実施形態に係る画像形成装置が備えるＬＥＤ駆動回路の接続図である。
【図３】図３は、ＬＥＤ駆動回路におけるクロック信号および駆動パルス信号の一例のタイムチャートである。
【図４】図４は、ＬＥＤ駆動回路における駆動パルス信号およびダイナミック点灯制御信号の一例のタイムチャートである。
【発明を実施するための形態】
【００１０】
以下、添付図面を参照しながら、本発明の実施形態について説明する。なお、以下の実施形態は、本発明を具体化した一例であって、本発明の技術的範囲を限定する性格を有さない。
【００１１】
［画像形成装置１０の構成］
まず、図１を参照しつつ、実施形態に係る画像形成装置１０の構成について説明する。画像形成装置１０は、シート材９０１に画像を形成する装置である。シート材９０１は、紙、コート紙、ハガキ、封筒、およびＯＨＰシートなどのシート状の画像形成媒体である。
【００１２】
図１が示す画像形成装置１０は、原稿９００から画像を読み取る画像読取装置の機能およびシート材９０１へ画像を形成する画像形成装置の機能を兼ね備えた複合機である。なお、画像形成装置１０が、画像送信機能を兼ね備えるファクシミリ装置などであることも考えられる。なお、図１において、原稿９００およびシート材９０１が仮想線で示されている。
【００１３】
画像形成装置１０は、主制御部１、ＬＥＤ駆動回路２、複数のＬＥＤ３、スキャン部３１、スキャン制御部３０、プリント部４１、プリント制御部４０、画像処理部５０および通信部６０などを備える。
【００１４】
主制御部１、スキャン制御部３０、プリント制御部４０、通信部６０および画像処理部５０は、バス９０を通じて相互にデータの受け渡しが可能である。
【００１５】
スキャン部３１は、原稿９００に光を走査する不図示の光学系、および原稿からの反射光の光量を画素ごとに検出して原稿９００の画像データを出力する不図示のイメージセンサーなどを備える。
【００１６】
スキャン制御部３０は、スキャン部３１を制御して前記画像データを取得する。さらに、スキャン制御部３０は、バス９０を通じて前記画像データを画像処理部５０などの他の機器に転送する。
【００１７】
プリント部４１は、周知の電子写真方式の画像形成処理によってシート材９０１に画像を形成する。プリント部４１は、不図示の感光体およびその周辺機器を備える。前記周辺機器は、帯電部、光走査部、現像部、転写部、クリーニング部および除電部などを含む。
【００１８】
前記帯電部が前記感光体を帯電させ、前記光走査部が帯電した前記感光体に静電潜像を書き込み、前記現像部が前記静電潜像をトナーで現像し、前記帯電部が前記感光体からシート材９０１にトナー像を転写させ、前記クリーニング部が前記感光体に残存する前記トナーを除去し、前記除電部が前記感光体を除電する。
【００１９】
さらに、プリント部４１は、定着部も備える。前記定着部は、シート材９０１に転写された前記トナー像を加熱することによってシート材９０１に定着させる。
【００２０】
なお、前記プリント部４１がインクジェット方式などの他の方式の画像形成処理によってシート材９０１に画像を形成することも考えられる。
【００２１】
プリント制御部４０は、画像処理部５０から記録用画像データを取得し、前記記録用画像データ基づく画像を前記記録シートに形成する処理をプリント部４１に実行させる。
【００２２】
通信部６０は、ネットワーク１００を通じて外部装置との間でデータの送受信を行う。前記外部装置は、他の画像形成装置１０および不図示のパーソナルコンピューターなどである。
【００２３】
さらに、通信部６０は、バス９０を通じて他の機器とデータの受け渡しを行う。例えば、通信部６０は、前記外部機器から画像形成用のジョブデータを受信し、そのジョブデータをバス９０を通じて画像処理部５０に転送する。
【００２４】
また、通信部６０は、スキャン制御部３０から画像処理部５０を介して画像データを取得し、その画像データを含むデータを前記外部装置へ送信する機能も備える。
【００２５】
画像処理部５０は、バス９０を通じて他の機器から得た画像データなどに対する各種のデータ処理を実行する。画像処理部５０によるデータ処理の対象は、例えば、スキャン制御部３０から得られる原稿９００の画像データまたは前記外部装置から通信部６０を通じて得られる前記ジョブデータなどである。
【００２６】
例えば、スキャン制御部３０から得られる画像データおよび通信部６０から得られる前記ジョブデータを前記記録用画像データへ変換し、プリント制御部４０へ転送する処理などを実行する。
【００２７】
ＬＥＤ３は、ユーザーに対して装置の状態を通知する通知ランプまたは画像形成処理に関連する発光部などである。例えば、複数のＬＥＤ３が、操作ボタンＬＥＤ、ジョブＬＥＤ、エラーＬＥＤおよび除電ＬＥＤなどを含むことが考えられる。複数のＬＥＤ３は、ＬＥＤ駆動回路２から給電される。
【００２８】
前記操作ボタンＬＥＤは、操作ボタンが有効であることを示すＬＥＤである。前記ジョブＬＥＤは、実行中もしくは実行待ちのジョブが存在することを示すＬＥＤである。前記エラーＬＥＤは、エラーを通知するＬＥＤである。前記除電ＬＥＤは、前記除電部において前記感光体に除電光を照射するＬＥＤである。
【００２９】
ＬＥＤ駆動回路２は、複数のＬＥＤ３各々に対して電力を供給することによってＬＥＤ３各々を点灯させる回路である。ＬＥＤ駆動回路２は、複数のＬＥＤ３各々をダイナミック点灯させる。即ち、ＬＥＤ駆動回路２は、ＭＰＵ１１から供給されるダイナミック点灯制御信号Ｃｔ１，Ｃｔ２に従って、ＬＥＤ３各々を点灯状態と消灯状態とに切り替える。
【００３０】
主制御部１は、ＭＰＵ（Micro Processor Unit）１１および記憶部１２などを備える。
【００３１】
ＭＰＵ１１は、各種の演算およびデータ処理を実行するプロセッサーである。ＭＰＵ１１は、ＬＥＤ駆動回路２およびその他の機器を統括して制御する。例えば、ＭＰＵ１１は、ＬＥＤ制御プログラムＰｒ１を実行することにより、ダイナミック点灯制御信号Ｃｔ１，Ｃｔ２の出力状態を制御する。
【００３２】
記憶部１２は、ＭＰＵ１１が参照する各種情報を記憶する不揮発性の記憶部である。また、記憶部１２は、ＭＰＵ１１による各種情報の読み書きが可能な記憶部でもある。
【００３３】
記憶部１２は、ＭＰＵ１１に各種の処理を実行させるためのプログラムおよびそれらのプログラムを実行するＭＰＵ１１によって参照される情報および書き込まれる情報を記憶する。ＬＥＤ制御プログラムＰｒ１は、記憶部１２に予め記憶されている。
【００３４】
ところで、画像形成装置１０において、一部のＬＥＤ３を他のＬＥＤ３よりも明るく点灯させたい場合がある。この場合、デューティー比の大きな駆動パルス信号を出力する回路が、一部のＬＥＤ３の専用回路として設けられることが考えられる。そうすると、ＬＥＤ駆動回路２の規模が大きくなり、前記ダイナミック点灯制御信号を出力するプロセッサーのポート数が増える。
【００３５】
本実施形態において、ＭＰＵ１１およびＬＥＤ駆動回路２は、複数のＬＥＤ３をダイナミック点灯制御によって制御する。そして、ＬＥＤ駆動回路２は、一部のＬＥＤ３を他よりも明るく点灯させることが必要である場合に、回路を簡素化でき、点灯制御信号のポート数を少なくできる。
【００３６】
［ＬＥＤ駆動回路２］
以下、図２を参照しつつ、ＬＥＤ駆動回路２の構成について説明する。ＬＥＤ駆動回路２は、複数の給電基幹ライン２１と、複数の給電分岐ラインと、加算回路２３と、制御スイッチ２４とを備える。
【００３７】
給電基幹ライン２１および給電分岐ライン２２は、ＬＥＤ３に供給される駆動パルス信号を伝送する給電ラインである。複数の給電分岐ライン２２は、それぞれ給電基幹ライン２１から分岐した給電ラインである。ＬＥＤ３は、給電分岐ライン２２に電気的に接続されている。
【００３８】
加算回路２３は、複数の駆動パルス信号Ｄｒ１〜Ｄｒ８を給電基幹ライン２１に出力する回路である。駆動パルス信号Ｄｒ１〜Ｄｒ８は、それぞれ周期が同じでパルスが重ならないパルス信号である。
【００３９】
加算回路２３は、入力される基準クロック信号Ｃｋ０、第１分周クロック信号Ｃｋ１および第２分周クロック信号Ｃｋ２から駆動パルス信号Ｄｒ１〜Ｄｒ８を生成する。本実施形態において、基準クロック信号Ｃｋ０、第１分周クロック信号Ｃｋ１および第２分周クロック信号Ｃｋ２は、ＭＰＵ１１から加算回路２３に供給される。
【００４０】
なお、基準クロック信号Ｃｋ０が基準の第１クロック信号の一例である。また、第１分周クロック信号Ｃｋ１および第２分周クロック信号Ｃｋ２が、前記第１クロック信号が分周された第２クロック信号の一例である。
【００４１】
加算回路２３は、いわゆる組合せ回路である。従って、出力信号である駆動パルス信号Ｄｒ１〜Ｄｒ８は、入力信号である基準クロック信号Ｃｋ０、第１分周クロック信号Ｃｋ１および第２分周クロック信号Ｃｋ２の状態のみによって決まる。加算回路２３の動作については後述する。
【００４２】
図２が示す例では、加算回路２３が８つの駆動パルス信号Ｄｒ１〜Ｄｒ８を出力するが、加算回路２３が２つから７つの前記駆動パルス信号または８つ以上の前記駆動パルス信号を出力することも考えられる。
【００４３】
制御スイッチ２４は、給電分岐ライン２２に電気的に接続されている。制御スイッチ２４は、入力されるダイナミック点灯制御信号Ｃｔ１，Ｃｔ２に従って、複数の給電分岐ライン２２を一括して導通状態と非導通状態とに切り替えるスイッチである。
【００４４】
給電分岐ライン２２は、第１給電分岐ライン２２ａと第２給電分岐ライン２２ｂとを含む。第１給電分岐ライン２２ａは、１つの給電基幹ライン２１にのみ電気的に接続されている。一方、第２給電分岐ライン２２ｂは、複数の給電基幹ライン２１に電気的に接続されている。
【００４５】
以下の説明に置いて、第１給電分岐ライン２２ａに電気的に接続されたＬＥＤ３のことを第１ＬＥＤ３ａと称し、第２給電分岐ライン２２ｂに電気的に接続されたＬＥＤ３のことを第２ＬＥＤ３ｂと称する。第２ＬＥＤ３ｂには、複数の給電基幹ライン２１の前記駆動パルス信号の合成信号が供給される。
【００４６】
図２が示す例では、給電分岐ライン２２は、８系統の第１給電分岐ライン２２ａと２系統の第２給電分岐ライン２２ｂとを含む。また、図２に示される第２給電分岐ライン２２ｂは、２つの給電基幹ライン２１に電気的に接続されている。なお、第２給電分岐ライン２２ｂが、３つ以上の給電基幹ライン２１に電気的に接続されることも考えられる。
【００４７】
さらに、制御スイッチ２４は、第１給電分岐ライン２２ａに電気的に接続された第１制御スイッチ２４ａと、第２給電分岐ライン２２ｂに電気的に接続された第２制御スイッチ２４ｂとを含む。
【００４８】
また、ＭＰＵ１１は、第１制御スイッチ２４ａに対して第１ダイナミック点灯制御信号Ｃｔ１を出力し、第２制御スイッチ２４ｂに対して第２ダイナミック点灯制御信号Ｃｔ２を出力する。
【００４９】
第１制御スイッチ２４ａは、第１ダイナミック点灯制御信号Ｃｔ１に従って、８系統の第１給電分岐ライン２２ａを一括して前記導通状態と前記非導通状態とに切り替える。また、第２制御スイッチ２４ｂは、第２ダイナミック点灯制御信号Ｃｔ２に従って、２系統の第２給電分岐ライン２２ｂを一括して前記導通状態と前記非導通状態とに切り替える。
【００５０】
給電分岐ライン２２におけるＬＥＤ３と制御スイッチ２４との間には、ＬＥＤ３に流れる電流を調整する抵抗素子２５が接続されている。
【００５１】
なお、図２には示されていないが、複数の第１給電分岐ライン２２ａ、複数の第１ＬＥＤ３ａ、第１制御スイッチ２４ａおよび抵抗素子２５のセットが、２セット以上設けられることが考えられる。同様に、複数の第２給電分岐ライン２２ｂ、複数の第２ＬＥＤ３ｂ、第２制御スイッチ２４ｂおよび抵抗素子２５のセットが、２セット以上設けられることも考えられる。
【００５２】
次に、図３，４を参照しつつ、ＬＥＤ駆動回路２の動作について説明する。図３は、ＬＥＤ駆動回路２におけるクロック信号Ｃｋ０〜Ｃｋ１および駆動パルス信号Ｄｒ１〜Ｄｒ８，Ｄｒ１５，Ｄｒ２６の一例のタイムチャートである
【００５３】
なお、駆動パルス信号Ｄｒ１５は、１番目および５番目の給電基幹ライン２１に接続された第２給電分岐ライン２２ｂに流れるパルス信号である。また、駆動パルス信号Ｄｒ２６は、２番目および６番目の給電基幹ライン２１に接続された第２給電分岐ライン２２ｂに流れるパルス信号である。
【００５４】
図３に示されるように、基準クロック信号Ｃｋ０は、周期Ｔ０で発振するクロック信号である。また、第１分周クロック信号Ｃｋ１および第２分周クロック信号Ｃｋ２は、基準クロック信号Ｃｋ０が分周されたクロック信号である。
【００５５】
本実施形態において、第１分周クロック信号Ｃｋ１は、基準クロック信号Ｃｋ０が２分周された信号であり、第２分周クロック信号Ｃｋ２は、基準クロック信号Ｃｋ０が４分周された信号である。従って、第１分周クロック信号Ｃｋ１の周期Ｔ１は、基準クロック信号Ｃｋ０の周期Ｔ０の２倍であり、第２分周クロック信号Ｃｋ２の周期Ｔ２は、基準クロック信号Ｃｋ０の周期Ｔ０の４倍である。
【００５６】
第１分周クロック信号Ｃｋ１は、基準クロック信号Ｃｋ０を基準にして位相が半周期分、即ち、Ｔ０／２だけずれている。第２分周クロック信号Ｃｋ２は、基準クロック信号Ｃｋ０を基準にして位相が１．５周期分、即ち、３＊Ｔ０／２だけずれている。また、基準クロック信号Ｃｋ０、第１分周クロック信号Ｃｋ１および第２分周クロック信号Ｃｋ２のデューティー比は１／２である。
【００５７】
基準クロック信号Ｃｋ０、第１分周クロック信号Ｃｋ１および第２分周クロック信号Ｃｋ２が加算回路２３に入力されると、それぞれ周期Ｔ３が同じでパルスが重ならない８つの駆動パルス信号Ｄｒ１〜Ｄｒ８が加算回路２３から出力される。
【００５８】
駆動パルス信号Ｄｒ１〜Ｄｒ８各々のパルス幅は、基準クロック信号Ｃｋ０のパルス幅と同じである。また、駆動パルス信号Ｄｒ１〜Ｄｒ８各々の周期Ｔ３は、基準クロック信号Ｃｋ０の周期Ｔ０の４倍である。駆動パルス信号Ｄｒ１〜Ｄｒ８各々のデューティー比は１／８である。
【００５９】
また、駆動パルス信号Ｄｒ１５は、１番目の駆動パルス信号Ｄｒ１および５番目の駆動パルス信号Ｄｒ５の合成信号である。同様に、駆動パルス信号Ｄｒ２６は、２番目の駆動パルス信号Ｄｒ２および６番目の駆動パルス信号Ｄｒ６の合成信号である。
【００６０】
従って、前記導通状態の第２給電分岐ライン２２ｂに流れる駆動パルス信号Ｄｒ１５，Ｄ２６のデューティー比は、駆動パルス信号Ｄｒ１〜Ｄｒ８各々のデューティー比の２倍になる。従って、第２ＬＥＤ３ｂは、第１ＬＥＤ３ａに比べて２倍の電力が供給される。
【００６１】
図４は、ＬＥＤ駆動回路２における駆動パルス信号Ｄｒ１〜Ｄｒ８，Ｄｒ１５，Ｄｒ２６およびダイナミック点灯制御信号Ｃｔ１，Ｃｔ２の一例のタイムチャートである。
【００６２】
図４に示される第１ダイナミック点灯制御信号Ｃｔ１は、駆動パルス信号Ｄｒ１のみが流れる第１給電分岐ライン２２ａに接続された第１目的ＬＥＤ３ａａを点灯させるときの制御信号である。
【００６３】
また、図４に示される第２ダイナミック点灯制御信号Ｃｔ２は、駆動パルス信号Ｄｒ１５が流れる第２給電分岐ライン２２ｂに接続された第２目的ＬＥＤ３ｂｂを点灯させるときの制御信号である。
【００６４】
ＭＰＵ１１は、第１目的ＬＥＤ３ａａを点灯させる場合、駆動パルス信号Ｄｒ１に同期して第１ダイナミック点灯制御信号Ｃｔ１を出力する。これにより、第１給電分岐ライン２２ａが駆動パルス信号Ｄｒ１に同期して前記導通状態になる。そして、第１制御スイッチ２４ａに電気的に接続された複数の第１ＬＥＤ３ａのうち第１目的ＬＥＤ３ａａのみが点灯する。
【００６５】
また、ＭＰＵ１１は、第２目的ＬＥＤ３ｂｂを点灯させる場合、駆動パルス信号Ｄｒ１５と同期した第２ダイナミック点灯制御信号Ｃｔ２を出力する。これにより、第２給電分岐ライン２２ｂが駆動パルス信号Ｄｒ１５に同期して前記導通状態になる。そして、第２制御スイッチ２４ｂに電気的に接続された複数の第２ＬＥＤ３ｂのうち第２目的ＬＥＤ３ｂｂのみが点灯する。
【００６６】
また、第２目的ＬＥＤ３ｂｂは、第１目的ＬＥＤ３ａａに比べて２倍の電力が供給されるため、第１目的ＬＥＤ３ａａよりも明るく点灯する。
【００６７】
以上に示されるように、複数のＬＥＤ３は、ダイナミック点灯制御によって制御される。そして、本実施形態によれば、一部の第２ＬＥＤ３ｂを他の第１ＬＥＤ３ａよりも明るく点灯させることが必要である場合に、ＬＥＤ駆動回路２を簡素化できる。即ち、デューティー比の大きな駆動パルス信号を出力する回路が、第１ＬＥＤ３ａの専用回路として設けられる必要がない。さらに、ＭＰＵ１１における点灯制御信号のポート数を少なくできる。
【００６８】
本実施形態において、加算回路２３と、基準クロック信号Ｃｋ０、第１分周クロック信号Ｃｋ１および第２分周クロック信号Ｃｋ２を出力するＭＰＵ１１とが、駆動信号出力回路の一例である。前記駆動信号出力回路は、複数の駆動パルス信号Ｄｒ１〜Ｄｒ８を複数の給電基幹ライン２１に出力する回路である。
【００６９】
加算回路２３が採用されることにより、前記駆動信号出力回路を簡素な回路によって実現できる。
【００７０】
また、画像形成装置１０において、第２給電分岐ライン２２ｂに電気的に接続された第２ＬＥＤ３ｂが、前記エラーＬＥＤおよび前記除電ＬＥＤの一方または両方を含むことが考えられる。前記エラーＬＥＤは、他の通知用のＬＥＤよりも明るく発光させたいＬＥＤ３の一例である。また、前記除電ＬＥＤも、通知用のＬＥＤよりも明るく発光させたいＬＥＤ３の一例である。
【００７１】
一方、第１給電分岐ライン２２ａに電気的に接続された第１ＬＥＤ３ａが、前記操作ボタンＬＥＤおよび前記ジョブＬＥＤのうちの一方または両方を含むことが考えられる。一般に、これらのＬＥＤは、特に明るく点灯させる必要がないＬＥＤである場合が多い。
【００７２】
[応用例]
以上に示された実施形態において、基準クロック信号Ｃｋ０、第１分周クロック信号Ｃｋ１および第２分周クロック信号Ｃｋ２が、基準クロック信号Ｃｋ０を出力する発振器および基準クロック１信号Ｃｋ０を分周する分周回路によって生成されることも考えられる。
【００７３】
ＬＥＤ駆動回路２において、３つ以上の第２給電分岐ライン２２ｂが、１つの第２制御スイッチ２４ａと電気的に接続されることも考えられる。例えば、３番目および７番目の給電基幹ライン２１に電気的に接続された第２給電分岐ライン２２ｂが、第２制御スイッチ２４ａと電気的に接続されることが考えられる。また、４番目および８番目の給電基幹ライン２１に電気的に接続された第２給電分岐ライン２２ｂが、第２制御スイッチ２４ａと電気的に接続されることも考えられる。
【００７４】
なお、本発明に係るＬＥＤ駆動回路および画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００７５】
１        ：主制御部
２        ：ＬＥＤ駆動回路
３        ：ＬＥＤ
３ａ      ：第１ＬＥＤ
３ａａ    ：第１目的ＬＥＤ
３ｂ      ：第２ＬＥＤ
３ｂｂ    ：第２目的ＬＥＤ
１０      ：画像形成装置
１１      ：ＭＰＵ
１２      ：記憶部
２１      ：給電基幹ライン
２２      ：給電分岐ライン
２２ａ    ：第１給電分岐ライン
２２ｂ    ：第２給電分岐ライン
２３      ：加算回路（駆動信号出力回路）
２４      ：制御スイッチ
２４ａ    ：第１制御スイッチ
２４ｂ    ：第２制御スイッチ
２５      ：抵抗素子
３０      ：スキャン制御部
３１      ：スキャン部
４０      ：プリント制御部
４１      ：プリント部
５０      ：画像処理部
６０      ：通信部
９０      ：バス
１００    ：ネットワーク
９００    ：原稿
９０１    ：シート材
Ｃｋ０    ：基準クロック信号
Ｃｋ１    ：第１分周クロック信号
Ｃｋ２    ：第２分周クロック信号
Ｃｔ１    ：第１ダイナミック点灯制御信号
Ｃｔ２    ：第２ダイナミック点灯制御信号
Ｄｒ１〜Ｄｒ８，Ｄｒ１５，Ｄｒ２６：駆動パルス信号
Ｐｒ１    ：ＬＥＤ制御プログラム
【図１】
2017074735.tif 000003
【図２】
2017074735.tif 000004
【図３】
2017074735.tif 000005
【図４】
2017074735.tif 000006